(57)【要約】      （修正有）【課題】臥位にある使用者の腰への負担が軽減されると共に、起き上がり動作を早く且つ楽に行うことができ、不使用時にコンパクトな形状にすることができる、マットレスを提供する。【解決手段】マットレス１は、水平に形成された第１面２０と、厚さ方向において第１面の反対の面であり、第１辺２１１及び第１辺と対向方向に位置する第２辺２１２を含み、第２辺から第１辺に向かって所定角度を以て上り傾斜した第２面２１とを有し、可曲性を有するマットレス本体２と、第１面に配置され、第２面２１が内側に向くように二つ折り又は三つ折りした折り畳み状態において、折り畳み状態を保持可能な係止部材とを備える。係止部材は、係止部を有する紐状体又は帯状体からなる。【選択図】図１
0003225781.tif 000002
【実用新案登録請求の範囲】
【請求項１】
水平に形成された第１面と、厚さ方向において該第１面の反対の面であり、第１辺及び該第１辺と対向方向に位置する第２辺を含み、該第２辺から前記第１辺に向かって所定角度を以て上り傾斜した第２面とを有し、可曲性を有するマットレス本体と、
前記第１面に配置され、前記第２面が内側に向くように二つ折り又は三つ折りした折り畳み状態において、折り畳み状態を保持可能な係止部材とを備える
マットレス。
【請求項２】
前記第２面が、前記第２辺から前記第１辺に向かう傾斜角度が２．５度以上４．５度以下である
請求項１に記載のマットレス。
【請求項３】
前記マットレス本体が、密度２５Ｄ以上３５Ｄ以下のウレタンフォーム製である
請求項１または請求項２に記載のマットレス。
【請求項４】
前記マットレス本体が、同マットレス本体の全部又は前記第２面を含む同マットレス本体の一部を覆うマットレスカバーを有し、該マットレスカバーのうち少なくとも前記第２面を覆う領域が竹繊維入りダンボールニット製である
請求項３に記載のマットレス。
【請求項５】
前記係止部材が、前記第１辺の近傍又は前記第２辺の近傍のいずれかに設けられ、紐条体又は帯状体であるベルト部と、該ベルト部に設けられた第１連結部と含む第１係止部と、該第１係止部が設けられた側と反対となる前記第１辺又は前記第２辺のいずれかに設けられた第２連結部と含む第２係止部と、により構成された構造である
請求項１、請求項２、請求項３または請求項４に記載のマットレス。
【請求項６】
前記第１係止部の前記第１連結部が、前記ベルト部の長手方向において、同ベルト部の先端と、同ベルト部の長手方向中間位置、の２箇所に設けられている
請求項５に記載のマットレス。
【請求項７】
水平に形成された第１面と、厚さ方向において該第１面の反対の面であり、第１辺及び該第１辺と対向方向に位置する第２辺を含み、該第２辺から前記第１辺に向かって２．５度以上４．５度以下の傾斜角度を以て上り傾斜した第２面とを有し、密度２５Ｄ以上３５Ｄ以下のウレタンフォーム製であり、可曲性を有するマットレス本体と、
前記第１面側に係る前記第１辺の近傍、又は、同第１面側に係る前記第２辺の近傍のいずれかに設けられ、紐条体又は帯状体であるベルト部と、前記ベルト部の長手方向において、同ベルト部の先端と、同ベルト部の長手方向中間位置、の２箇所に設けられた第１連結部と、含む第１係止部と、
該第１係止部が設けられた側と反対となる前記第１辺又は前記第２辺のいずれかに設けられた第２連結部と含む第２係止部と、
により構成された構造であり、前記第２面が内側に向くように二つ折り又は三つ折りした折り畳み状態において、折り畳み状態を保持可能な係止部材と、
前記マットレス本体の全部又は前記第２面を含む同マットレス本体の一部を覆い、少なくとも前記第２面を覆う領域が竹繊維入りダンボールニット製であるマットレスカバーと、
を備える
マットレス。
【考案の詳細な説明】
【技術分野】
【０００１】
本考案は、マットレスに関する。更に詳しくは、臥位にある使用者の腰への負担が軽減されると共に、起き上がり動作を早く且つ楽に行うことができ、不使用時にコンパクトな形状にすることができるものに関する。
【背景技術】
【０００２】
従来から、寝具としてマットレスが使用されており、例えば、下記の非特許文献１に示されているような高反発マットレスが提案されている。非特許文献１に記載されたマットレスは、厚みがあり、高反発且つクッション性が良いため、一般的に、使用者に快適な睡眠を提供することができるとされる。
【先行技術文献】
【非特許文献】
【０００３】
【非特許文献１】高反発マットレス厚さ１７ｃｍシングル（日本製）  インターネット＜URL：https://www.nitori-net.jp/ec/product/5651343s/＞
【考案の概要】
【考案が解決しようとする課題】
【０００４】
しかしながら、非特許文献１に記載されたマットレスは、使用者が寝る面（臥位となる面。以下「天面」という）が水平であるため、使用者が臥位から起き上がる際の動作（以下「起き上がり動作」という）を行う際には、腹筋に力を加える必要があり、やや時間が掛かるため、疲労が蓄積した者や腰痛の症状がある者、老齢者にとっては。楽に行い得るとは言い難い。また、睡眠時には、臥位を取る使用者の腰への負担が大きい。更に、非特許文献１に記載されたマットレスは、不使用時においては折り畳むことができないため、嵩張るものである。
【０００５】
本考案は、以上の点を鑑みて創案されたものであり、臥位にある使用者の腰への負担が軽減されると共に、起き上がり動作を早く且つ楽に行うことができ、不使用時にコンパクトな形状にすることができる、マットレスを提供することを目的とするものである。
【課題を解決するための手段】
【０００６】
上記の目的を達成するために本考案のマットレスは、水平に形成された第１面と、厚さ方向において該第１面の反対の面であり、第１辺及び該第１辺と対向方向に位置する第２辺を含み、該第２辺から前記第１辺に向かって所定角度を以て上り傾斜した第２面とを有し、可曲性を有するマットレス本体と、前記第１面に配置され、前記第２面が内側に向くように二つ折り又は三つ折りした折り畳み状態において、折り畳み状態を保持可能な係止部材とを備える。
【０００７】
ここで、第１面は水平に形成されていることにより、使用時においてマットレス本体の底面を構成することができる。また、第２面は、厚さ方向において第１面の反対の面であり、つまり、使用時においてマットレス本体の天面を構成することができる。
【０００８】
そして、第２面は、第１辺から第２辺に向かって所定角度を以て下り傾斜していることにより、使用者は第１辺に頭を置いて臥位を取ることで、その頭部が第１辺で支持され、第２辺に足先が向く体勢となる。当該体勢によれば、天面が水平な一般的マットレスの使用時と比較して、臥位にある使用者の腰への負担が軽減されると共に、起き上がり動作を早く且つ楽に行うことができる。
【０００９】
なお、第１辺及び第２辺は、一般的なマットレスにおいては幅方向の短辺（換言すると、頭足方向における各短辺）が該当するが、使用者の臥位における頭足方向の辺の方が短い場合は、長辺方向が第１辺及び第２辺に該当する場合もあり得る。
【００１０】
マットレス本体は、可曲性を有することにより、折り畳むことができ、これにより場所を大きく取らず、運搬、保管の利便性が向上している。なお、ここで「可曲性」の用語は、応力が除荷された後に初期状態（すなわち、マットレス本体が展開された状態）に戻る弾性変形を意味し、塑性変形は含まない意味で使用している。
【００１１】
係止部材は、第１面に配置されていることにより、使用時において、係止部材に起因する不快な感触を使用者に与えることがない。また、係止部材は、第２面が内側に向くように二つ折り又は三つ折りした折り畳み状態において、折り畳み状態を保持することができる。
【００１２】
係止部材の具体的構成としては、例えば、第１辺の近傍と第２辺の近傍に設けられた紐条体又は帯状体であるベルト部を結んで係止するもの、第１辺の近傍と第２辺の近傍に設けられた紐条体又は帯状体であるベルト部に面ファスナー、係止フックあるいはバックル等を設け、これらにより係止するもの等が挙げられるが、これに限定するものではなく、他の公知手段を選択することもできる。また、バックルとしては、例えば、サイドリリースバックル、フロントリリースバックル、或いは、リング式バックル等が挙げられる。
【００１３】
また、第２面が、第２辺から第１辺に向かう傾斜角度が２．５度以上４．５度以下である場合は、第２面の傾斜角度が同範囲内に設定されていることにより、臥位にある使用者の腰への負担が好適に軽減されると共に、起き上がり動作をより早く且つ更に楽に行うことができる。より具体的には、起き上がり動作について、前述の一般的なマットレスと比較して、約１秒早く且つ約７０％の力で起き上がることができる。
【００１４】
なお、前述した第２面の傾斜角度が２．５度未満である場合は、起き上がり動作を早く行うためにマットレスの傾斜が貢献せず、起き上がり動作を楽に行うことができないために好ましくなく、また、前述した第２面の傾斜角度が４．５度を超える場合は、臥位にある使用者の腰への負担が増えるため好ましくない。
【００１５】
また、マットレス本体が、密度２５Ｄ以上３５Ｄ以下のウレタンフォーム製である場合は、マットレス本体が比較的硬質であり、臥位にある使用者の身体がマットレス本体に沈み込みにくくなる。これにより、臥位にある使用者の腰への負担が好適に軽減されると共に、起き上がり動作をより早く且つ更に楽に行うことができる。ここで、数字の後の「Ｄ」はウレタン密度を示す単位（Ｄｅｎｓｉｔｙ）である。
【００１６】
なお、ウレタンフォームの密度が２５Ｄ未満である場合は、マットレス本体が比較的軟質であり、臥位にある使用者の身体がマットレス本体に沈み込みやすく、臥位にある使用者の腰への負担が増えると共に、起き上がり動作を楽に行うことができず、更に早期劣化しやすい（いわゆるヘタリが起きる）ため、好ましくない。一方、ウレタンフォームの密度が３５Ｄを超える場合は、重量が増加して運搬や日常の取り扱いの負担が増加すると共に、曲げ剛性が向上するため折り畳みしにくくなり、更に一般的に製造コストが増加するため、好ましくない。
【００１７】
また、マットレス本体が、マットレス本体の全部又は第２面を含むマットレス本体の一部を覆うマットレスカバーを有し、マットレスカバーのうち少なくとも第２面を覆う領域が竹繊維入りダンボールニット製である場合は、マットレスカバーの間に形成された空気層により、使用者の体温を蓄えて保温性が良く、また、柔軟性及び軽量性を備えるものとなる。更に、竹繊維が入っているため、マットレスカバーに抗菌性及び抗臭性を付加することができる。
【００１８】
また、係止部材が、第１辺の近傍又は第２辺の近傍のいずれかに設けられ、紐条体又は帯状体であるベルト部と、同ベルト部に設けられた第１連結部と含む第１係止部と、第１係止部が設けられた側と反対となる第１辺又は第２辺のいずれかに設けられた第２連結部と含む第２係止部と、により構成された構造である場合は、ベルト部を回し掛け、第１連結部と第２連結部を連結することで、第１係止部と第２係止部とが係止する構造であるため、紐を結着する態様と比較して、係止作業を手早く効率的に行うことができる。
【００１９】
また、第１係止部の第１連結部が、ベルト部の長手方向において、同ベルト部の先端と、同ベルト部の長手方向中間位置、の２箇所に設けられている場合は、第２面が内側に向くようにした折り畳み状態において、２箇所の第１連結部のいずれかを選択して、マットレス本体を二つ折り又は三つ折りする態様を選択することができる。例えば、二つ折りする際にはベルト部の先端に設けられた一の第１連結部を使用し、三つ折りする際にはベルト部の長手方向中間位置に設けられた他の第１連結部を使用する態様で、マットレス本体を折り畳んだ状態に保持することができる。
【００２０】
上記の目的を達成するために本考案のマットレスは、水平に形成された第１面と、厚さ方向において該第１面の反対の面であり、第１辺及び該第１辺と対向方向に位置する第２辺を含み、該第２辺から前記第１辺に向かって２．５度以上４．５度以下の傾斜角度を以て上り傾斜した第２面とを有し、密度２５Ｄ以上３５Ｄ以下のウレタンフォーム製であり、可曲性を有するマットレス本体と、前記第１面側に係る前記第１辺の近傍、又は、同第１面側に係る前記第２辺の近傍のいずれかに設けられ、紐条体又は帯状体であるベルト部と、前記ベルト部の長手方向において、同ベルト部の先端と、同ベルト部の長手方向中間位置、の２箇所に設けられた第１連結部と、含む第１係止部と、該第１係止部が設けられた側と反対となる前記第１辺又は前記第２辺のいずれかに設けられた第２連結部と含む第２係止部と、により構成された構造であり、前記第２面が内側に向くように二つ折り又は三つ折りした折り畳み状態において、折り畳み状態を保持可能な係止部材と、前記マットレス本体の全部又は前記第２面を含む同マットレス本体の一部を覆い、少なくとも前記第２面を覆う領域が竹繊維入りダンボールニット製であるマットレスカバーと、を備える。
【００２１】
ここで、マットレス本体は、第１面が水平に形成されていることにより、使用時においてマットレス本体の底面を構成することができる。また、マットレス本体は、第２面が厚さ方向において第１面の反対の面であり、使用時においてマットレス本体の天面を構成することができる。
【００２２】
そして、第２面は、第２辺から第１辺に向かって２．５度以上４．５度以下の傾斜角度を以て上り傾斜していることにより、使用者は第１辺に頭を置いて臥位を取ることで、その頭部が第１辺で支持され、第２辺に足先が向く体勢となる。当該体勢によれば、天面が水平な一般的マットレスの使用時と比較して、臥位にある使用者の腰への負担が軽減されると共に、起き上がり動作を早く且つ楽に行うことができる。より具体的には、起き上がり動作について、前述の一般的なマットレスと比較して、約１秒早く且つ約７０％の力で起き上がることができる。
【００２３】
更に、マットレス本体は、密度２５Ｄ以上３５Ｄ以下のウレタンフォーム製であることにより、マットレス本体が比較的硬質であり、臥位にある使用者の身体がマットレス本体に沈み込みにくくなる。これにより、臥位にある使用者の腰への負担が好適に軽減されると共に、起き上がり動作をより早く且つ更に楽に行うことができる。
【００２４】
更にまた、マットレス本体は、可曲性を有することにより、折り畳むことができ、これにより場所を大きく取らず、運搬、保管の利便性が向上している。
【００２５】
係止部材は、第１面側に係る第１辺の近傍、又は、第１面側に係る第２辺の近傍のいずれかに設けられていることにより、使用時において、係止部材に起因する不快な感触を使用者に与えることがない。また、係止部材は、第２面が内側に向くように二つ折り又は三つ折りした折り畳み状態において、折り畳み状態を保持することができる。
【００２６】
更に、係止部材は、紐条体又は帯状体であるベルト部を有することで、ベルト部を回し掛けるようにしてマットレス本体を折り畳み状態に保持することができる。また、係止部材は、前述の構成により、第１連結部と第２連結部を連結することで、第１係止部と第２係止部とが係止する構造であるため、紐を結着する態様と比較して、係止作業を手早く効率的に行うことができる。
【００２７】
そして、係止部材は、前述の構成により、第２面が内側に向くようにした折り畳み状態において、２箇所の第１連結部のいずれかを選択して、マットレス本体を二つ折り又は三つ折りする態様を選択することができる。例えば、二つ折りする際にはベルト部の先端に設けられた一の第１連結部を使用し、三つ折りする際にはベルト部の長手方向中間位置に設けられた他の第１連結部を使用する態様で、マットレス本体を折り畳んだ状態に保持することができる。
【００２８】
マットレスカバーは、マットレス本体の全部又は第２面を含むマットレス本体の一部を覆い、少なくとも第２面を覆う領域が竹繊維入りダンボールニット製であることにより、マットレスカバーの間に形成された空気層により、使用者の体温を蓄えて保温性が良く、また、柔軟性及び軽量性を備えるものとなる。更に、竹繊維が入っているため、マットレスカバーに抗菌性及び抗臭性を付加することができる。
【考案の効果】
【００２９】
本考案によれば、臥位にある使用者の腰への負担が軽減されると共に、起き上がり動作を早く且つ楽に行うことができ、不使用時にコンパクトな形状にすることができる、マットレスを提供することができる。
【図面の簡単な説明】
【００３０】
【図１】本考案のマットレスを示し、天面を上方に向けた斜視図である。
【図２】図１のマットレスを側面方向から示し、（ａ）は側面図、（ｂ）は（ａ）の側面図左部分の拡大図である。
【図３】図１のマットレスを底面方向から示し、第１係止部を展開した状態を表した底面図である。
【図４】図３のマットレスの第１係止部を畳んだ状態を示す底面図である。
【図５】図１のマットレスを二つ折りに折り畳んだ状態を示す側面図である。
【図６】図１のマットレスを三つ折りに折り畳んだ状態を示す側面図である。
【図７】本考案のマットレスと一般的なマットレスを使用し、使用者が仰臥位から起き上がるまでに要した時間と筋力を計測した試験結果を示した比較図である。
【図８】本考案のマットレスと一般的な敷布団を使用し、仰臥位の使用者からマットレスに加わる体圧を計測した試験結果を示した比較図である。
【考案を実施するための形態】
【００３１】
図１〜図８を参照して、本考案の実施の形態を更に詳細に説明する。なお、各図における符号は、煩雑さを軽減し理解を容易にする範囲内で付している。
【００３２】
図１〜図６を参照して、本考案のマットレス１について説明する。マットレス１は、マットレス本体２、マットレス本体２の全部を覆うマットレスカバー３、及び、係止部材４を備える（図１及び図３参照）。なお、図１〜図６において、マットレス本体２は、その全面をマットレスカバー３により覆われた状態で記載されている。これら各部については以下詳述する。
【００３３】
マットレス本体２は、幅約１００ｃｍ、長さ約２００ｃｍで、密度３０Ｄで反発力２００Ｎ（ニュートン）のウレタンフォーム製であり、可曲性を有する。また、マットレス本体２は、第１辺２１１側の厚みが約１５ｃｍ、第２辺２１２側の厚みが約３ｃｍ、であり、底つき感がなく、十分な寝心地の厚みを確保している。
【００３４】
マットレス本体２は、水平に形成された第１面２０と、厚さ方向において第１面２０の反対の面である第２面２１を有する。なお、図１に示すような使用状態において、第１面２０は底面を構成し、第２面２１は天面を構成する。第２面２１は、第１辺２１１、及び、第１辺２１１と対向方向に位置する第２辺２１２を含んでおり、第２辺２１２から第１辺２１１に向かって３．５度の傾斜角度（図２（ｂ）に示す符号Ａの角度）を以て上り傾斜している。
【００３５】
マットレスカバー３は、第２面２１を覆う領域３０（換言すると、マットレスカバー３の天面部分）が竹繊維入りダンボールニット製である。加えて、マットレスカバー３は、マットレス本体２の各短辺側の側面及び各長辺側の側面も竹繊維入りダンボールニット製である。他方、マットレスカバー３の第１面２０を覆う領域３１（換言すると、マットレスカバー３の底面部分）が、ピーチスキン加工を施したポリエステル布製である。
【００３６】
なお、マットレスカバー３は、第１面２０の第２辺２１２側と長手方向（使用時おける使用者の頭足方向）側面に亘り開口部が形成され、この開口部を閉じるＬ字ファスナー３１１が設けられている。Ｌ字ファスナー３１１は、これを開け、開口部を通じてマットレス本体２が出し入れ可能な構造になっている（図３、図４参照）。
【００３７】
係止部材４は、第２面２１が内側に向くように二つ折り（図５参照）又は三つ折り（図６参照）した折り畳み状態において、折り畳み状態を保持可能な構造である。本実施の形態において、係止部材４は、対となる第１係止部４１と第２係止部４２からなり、二対が設けられた構造である（図３及び図４参照）。
【００３８】
図３及び図４を主に参照して、第１係止部４１と第２係止部４２について説明する。
第１係止部４１は、マットレスカバー３の領域３１（換言すると、底面）に配置され、領域３１の第２辺２１２側に設けられている。そして、第２係止部４２は、領域３１の第１辺２１１側（すなわち、第１係止部４１が設けられた側と反対となる辺）に設けられている。
【００３９】
第１係止部４１は、長さ８８ｃｍ幅７ｃｍの帯状体であるベルト部４１１と、２箇所の第１連結部４１２（４１２ａ、４１２ｂ）を含む構造であり、マットレス１の幅方向において所定間隔を空けて２本が設けられている。各ベルト部４１１は、その基部がマットレスカバー３の領域３１の長手方向略中間に縫着されており、縫着部分を除いて遊動可能に設けられている。
【００４０】
各第１連結部４１２は、面ファスナーのループ部（いわゆるメス）により構成され、ベルト部４１１の先端に設けられた第１先端連結部４１２ａと、ベルト部４１１の長手方向略中間位置に設けられた第１中間連結部４１２ｂ、の２箇所（２本の第１係止部４１の合計で４箇所）を含む構造である。
【００４１】
第２係止部４２は、長さ２０ｃｍ幅７ｃｍの帯状体であるベルト部４２１と、第２連結部４２２を含む構造であり、マットレス１の幅方向において所定間隔を空けて２本が設けられている。各ベルト部４２１は、その基部がマットレスカバー３の領域３１の第２辺２１２側近傍に縫着されており、縫着部分を除いて遊動可能に設けられている。
【００４２】
各第２連結部４２２は、面ファスナーのフック部（いわゆるオス）により構成され、ベルト部４２１の先端（２本の第２連結部４２２の合計で２箇所）に設けられている。
【００４３】
本実施の形態において、マットレス本体２の寸法は前述の通りであるが、当該数値に限定するものではなく、適宜設計変更が可能である。
【００４４】
本実施の形態において、第１係止部４１と第２係止部４２の配置は前述の通りであるが、これに限定するものではなく、例えば、第１係止部４１を領域３１の第１辺２１１側に設け、第２係止部４２を領域３１の第２辺２１２側に設ける態様とすることもできる。
【００４５】
本実施の形態において、第１係止部４１及び第２係止部４２は、その形状、構造は前述の通りであるが、これに限定するものではなく、適宜設計変更可能である。
【００４６】
なお、本実施の形態では、係止部材４は、マットレスカバー３に設けられているが、これに限定するものではなく、例えば、マットレス本体に設けられた構造であってもよい。当該構造としては、例えば、マットレスカバーを使用しない態様、又は、第１面を覆わないマットレスカバーを使用する態様、或いは、第１面を覆うマットレスカバーに係止部材４を通す開口部が形成された態様が挙げられ、そのいずれにおいても係止部材４の円滑な使用が可能である（例えば、都度マットレスカバー内に納めた係止部材を引き出す必要がない）。
【００４７】
（作  用）
図１〜図８を参照して、マットレス１の作用効果について説明する。
【００４８】
（マットレス１の使用時）
図１及び図２は、使用時におけるマットレス１を示しており、水平に形成された第１面２０は底面を構成し、傾斜した第２面２１は天面を構成する。そして、使用者は、第２面２１上で第１辺２１１の方に頭を乗せ、臥位を取る（寝る）。このとき、使用者の頭部が第１辺２１１側で支持され、第２辺２１２に足先が向く体勢となる。
【００４９】
このとき、マットレス本体２は、密度３０Ｄかつ２００Ｎのウレタンフォーム製であり、かつ、第２面２１が第２辺２１２から第１辺２１１に向かって３．５度の傾斜角度を以て上り傾斜した構造であることにより、臥位にある使用者は、天面が水平な一般的マットレスの使用時と比較して、臥位にある使用者の腰への負担が軽減されると共に、起き上がり動作を早く且つ楽に行うことができる。このことは、図７及び図８に示す各試験結果（比較図）からも明らかである。
【００５０】
図７は、マットレス１と一般的なマットレスを使用し、使用者が仰臥位から起き上がるまでに要した時間と筋力を計測した試験結果を示した比較図である。なお、図中の「ｍＶ」は、筋電図による僧帽筋の活動の測定を行ったものである。
【００５１】
図７の比較図で明らかなように、マットレス１を使用した使用者は、起き上がり動作について、前述の一般的なマットレスと比較して、約１秒早く且つ約７０％の筋力で起き上がることができることがわかる。
【００５２】
図８は、マットレス１と一般的な敷布団を使用し、仰臥位の使用者からマットレスに加わる体圧を計測した試験結果を示した比較図である。符号ＨＰで示す濃色部分は、体圧が高い部分であり、一般的な敷布団においては、腰から臀部、両肩、頭の４箇所に現れ、特に腰から臀部に広く現れている。
【００５３】
これに対し、マットレス１においては、符号ＨＰで示す体圧が高い部分は、左肩と頭の２箇所に現れ、腰から臀部には現れていない。すなわち、臥位にある使用者の身体がマットレス本体２に沈み込みにくくなっていることがわかる。
【００５４】
そして、マットレス本体２の傾斜角度が３．５度であることにより、臥位にある使用者が、睡眠時に傾斜していると感じにくく、ストレス無く睡眠できる。更に、臥位にある使用者が睡眠時に傾斜していると感じにくいことから、無理なく寝返りをうつことができる。
【００５５】
なお、図１及び図２における使用時において、図４に示すように、第１係止部４１のベルト部４１１を第１面２０の下に収まるように折り畳み、第２辺２１２よりも先に露出しないようにすることができる。これにより、ベルト部４１１がブラブラして見た目がだらしなくなることを抑制し、使用時において邪魔にならず、見た目が向上する。そして、係止部材４は、使用時において底面（第１面２０）となる側にあり、マットレスカバー３越しでも伝わる感触によって、臥位にある使用者に不快な感触を与えることがない（図１、図３、図４参照）。
【００５６】
マットレスカバー３は、第２面を覆う領域３０が竹繊維入りダンボールニット製であることにより、マットレスカバー３の間に形成された空気層が使用者の体温を蓄えて保温性が良く、また、柔軟性及び軽量性を備えるものとなる。更に、竹繊維が入っているため、マットレスカバー３に抗菌性及び抗臭性を付加している。
【００５７】
（マットレス１の折り畳み時）
図５及び図６を参照する。マットレス１は、マットレス本体２が可曲性を有することにより、折り畳むことができ、これにより場所を大きく取らず、運搬、保管の利便性が向上している。そして、係止部材４は、第２面２１が内側に向くように二つ折り又は三つ折りした折り畳み状態において、折り畳み状態を保持することができる。
【００５８】
係止部材４は、前述の構成により、第２面２１が内側に向くようにした折り畳み状態において、２箇所の第１連結部４１２ａ、４１２ｂのいずれかを選択して、マットレス本体２を二つ折り又は三つ折りする態様を選択することができる。
【００５９】
例えば、係止部材４は、二つ折りした折り畳み状態にするために、第２面２１が内側に向くようにして二つ折りし、対となる位置に設けた第２係止部４２の方向へ、ベルト部４１１を回し掛ける。そして、第１先端連結部４１２ａ（すなわち、前述した一の第１連結部）と、第２係止部４２の第２連結部４２２を接合させ、二つ折りの折り畳み状態に係止する（図５参照）。
【００６０】
また、係止部材４は、三つ折りした折り畳み状態にするために、第２面２１が内側に向くようにして三つ折りし、対となる位置に設けた第２係止部４２の方向へ、ベルト部４１１を回し掛ける。そして、第１中間連結部４１２ｂ（すなわち、前述した他の第１連結部）と、第２係止部４２の第２連結部４２２を接合させ、三つ折りの折り畳み状態に係止する（図６参照）。
【００６１】
本実施の形態の係止部材４によれば、前述した簡易な構造でありながら、係止作業を確実且つ効率的に行うことができる。
【００６２】
本明細書および本実用新案登録請求の範囲で使用している用語と表現は、あくまでも説明上のものであって、なんら限定的なものではなく、本明細書および本実用新案登録請求の範囲に記述された特徴およびその一部と等価の用語や表現を除外する意図はない。また、本考案の技術思想の範囲内で、種々の変形態様が可能であるということは言うまでもない。また、第一、第二等の言葉は、等級や重要度を意味するものではなく、一つの要素を他の要素から区別するために使用したものである。
【符号の説明】
【００６３】
１    マットレス
２    マットレス本体
２０    第１面
２１    第２面
２１１    第１辺
２１２    第２辺
３    マットレスカバー
３０    第２面を覆う領域
３１    第１面を覆う領域
３１１    Ｌ字ファスナー
４    係止部材
４１    第１係止部
４１１    ベルト部
４１２    第１連結部
４１２ａ    第１先端連結部
４１２ｂ    第１中間連結部
４２    第２係止部
４２１    ベルト部
４２２    第２連結部
Ａ    傾斜角度
ＨＰ    体圧が高い部分
【図１】
0003225781.tif 000003
【図２】
0003225781.tif 000004
【図３】
0003225781.tif 000005
【図４】
0003225781.tif 000006
【図５】
0003225781.tif 000007
【図６】
0003225781.tif 000008
【図７】
0003225781.tif 000009
【図８】
0003225781.tif 000010